(57)【要約】【課題】  より安定な配置を可能としたサポートカウンターを提供すること。【解決手段】  キャビネットに備えた引出し２の直上に設けられるサポートカウンター１であって、前端下部の横幅方向に、引出しの前板４の上端部に係止される係合凹部３が設けられている。【選択図】図１
2006325808.tif 000002
【特許請求の範囲】
【請求項１】
キャビネットに備えた引出しの直上に設けられるサポートカウンターであって、前端下部の横幅方向に、引出しの前板上端部に係止される係合凹部が設けられていることを特徴とするサポートカウンター。
【請求項２】
後端上部に、キャビネットに備えた天前桟の下端部に係止される第２の係合凹部が設けられている請求項１記載のサポートカウンター。
【請求項３】
後端下部に、引出しの底板の上に配置される脚が設けられている請求項１または２記載のサポートカウンター。
【発明の詳細な説明】
【技術分野】
【０００１】
本願発明は、キャビネット天板面における作業スペースを拡大するサポートカウンターに関する。
【背景技術】
【０００２】
家具や厨房装置などのキャビネットについては、天板面での作業が天板面における作業スペースだけでは足りない場合、作業スペースを拡大できるように、サポートカウンターと呼ばれる補助カウンターを設けることができるようにしている。補助カウンターは、天板の傍に天板に対し直交させて配置され、作業に必要とされる大きさに作業スペースを拡大する。このような補助カウンターには、キャビネットに引出し式に備え付けたものが知られている（たとえば、特許文献１参照）。
【特許文献１】特開平９−７０３２３号公報
【発明の開示】
【発明が解決しようとする課題】
【０００３】
引出し式の補助カウンターは、キャビネット内部に収納することができ、使い勝手に優れているが、上記特許文献１に記載された補助カウンターでは、補助カウンター上の荷重を、ガイドローラーがガイドプレートの上縁に係合することにより受けるようにしている。このため、補助カウンターの配置は、必ずしも十分に安定であるとはいえず、ガタツキが生じることがある。補助カウンターを用いての作業をスムーズに行うためには、補助カウンターはより安定に天板の傍に配置されることが望まれる。
【０００４】
本願発明は、このような事情に鑑みてなされたものであり、より安定な配置を可能としたサポートカウンターを提供することを課題としている。
【課題を解決するための手段】
【０００５】
本願発明は、上記の課題を解決するために、第１には、キャビネットに備えた引出しの直上に設けられるサポートカウンターであって、前端下部の横幅方向に、引出しの前板上端部に係止される係合凹部が設けられていることを特徴としている。
【０００６】
本願発明は、第２には、後端上部に、キャビネットに備えた天前桟の下端部に係止される第２の係合凹部が設けられていることを特徴としている。
【０００７】
本願発明は、第３には、後端下部に、引出しの底板の上に配置される脚が設けられていることを特徴としている。
【発明の効果】
【０００８】
本願の第１の発明によれば、引出しの前板によりサポートカウンターを支持することができ、サポートカウンターの安定した配置が可能となる。サポートカウンター上での作業に際し、サポートカウンターにガタツキが生じることはない。
【０００９】
本願の第２の発明によれば、サポートカウンターは、キャビネットの天前桟にも支持されるため、サポートカウンターの配置はより安定する。
【００１０】
本願の第３の発明によれば、脚が引出しの底板により支持されるため、サポートカウンターの配置はさらに安定する。
【発明を実施するための最良の形態】
【００１１】
図１は、本願発明のサポートカウンターの一実施形態を引出しとともに示した斜視図である。
【００１２】
サポートカウンター１は、板状の部材であり、引出し２の上に載置可能となっている。前端下部には、サポートカウンター１の横幅方向に延びる係合凹部３が設けられている。係合凹部３は、サポートカウンター１の厚み方向に下端から上部に向かって切り欠かれ、形成されている。
【００１３】
サポートカウンター１を使用する際には、係合凹部３を、引き出された引出し２の前板４の上端部に係合させ、左右両側縁部を引出し２の側板５の上縁に載置する。サポートカウンター１は、横幅方向に延びる係合凹部３において、引出し２の前板４の上端部に係止されるため、前後の移動が不能となり、配置状態が安定に保持される。サポートカウンター１の上で作業を行ってもガタツキは生じない。
【００１４】
図１に示したサポートカウンター１は、引出し式ではなく、引出し２の上方から配置される上置き式となっているが、サポートカウンター１を引出し２と同様にキャビネットから引き出せる引出し式とすることも可能である。キャビネットにレールを設け、サポートカウンター１の左右両側部にガイドを設ければよい。従来と同様の引出し式であって、配置のより安定したサポートカウンターが実現される。
【００１５】
図２は、本願発明のサポートカウンターの別の実施形態を引出しとともに示した斜視図である。
【００１６】
サポートカウンター１は、図１に示した実施形態と同様に板状の部材であり、引出し２の直上に配置されるようになっている。図２に示したサポートカウンター１は、左右両側部にガイド６が設けられ、キャビネットの側板、仕切り板等に設けられたレールに沿った引き出しが可能となっている。このサポートカウンター１では、係合凹部３は、サポートカウンター１の前端縁部の下部から下方に突設された突起部７の下部に形成されている。
【００１７】
サポートカウンター１を使用する際には、サポートカウンター１をキャビネットから引き出し、引き出された引出し２の前板４の上端部に、横幅方向に延びる係合凹部３を係合させる。サポートカウンター１は、係合凹部３において、引出し２の前板４の上端部に係止され、前後の移動が不能となる。また、サポートカウンター１は、後端部において、ガイド６を介してキャビネットに設けられたレールに支持されるため、左右の移動も不能となる。サポートカウンター１は、引出し２の直上に安定して配置される。サポートカウンター１の上で作業を行ってもガタツキは生じない。
【００１８】
図３は、本願発明のサポートカウンターの別の実施形態を引出しとともに示した要部斜視図である。
【００１９】
サポートカウンター１は、略板状の部材であり、図２に示した実施形態と同様に、引出し２の直上に配置されるようになっている。前端下部には横幅方向に延びる係合凹部３が設けられている。係合凹部３は、図２に示した実施形態と同様に、サポートカウンター１の前端縁部の下部から下方に突設された突起部７の下部に形成されている。
【００２０】
一方、図３に示したサポートカウンター１には、後端上部に、横幅方向に延びる第２の係合凹部８が設けられている。第２の係合凹部８は、サポートカウンター１の後端縁部から上方に突設された第２の突起部９の上部に形成されている。第２の係合凹部８は、キャビネットに備えられた天前桟１０に係合可能とされている。
【００２１】
サポートカウンター１を使用する際には、図１に示したサポートカウンター１の場合のように、引き出された引出し２の上方からサポートカウンター１を配置し、または、図２に示したサポートカウンター１の場合のように、キャビネットから引き出し、係合凹部３を引出し２の前板４の上端部に係合させ、第２の係合凹部８をキャビネットの天前桟１０の下端部に係合させる。サポートカウンター１は、前端の係合凹部３において、引出し２の前板４の上端部に係止され、後端の第２の係合凹部８において、キャビネットの天前桟１０に係止され、移動が不能となる。したがって、引出し２の直上での配置がより安定となる。サポートカウンター１上で作業を行ってもサポートカウンター１は不動であり、ガタツキは生じない。
【００２２】
図３に示したサポートカウンター１において、係合凹部３、第２の係合凹部８は、突起部７、第２の突起部９にそれぞれ設けることなく、図１に示したサポートカウンター１のように、サポートカウンター１を、上下の端部において、厚み方向に切り欠くことによって形成することもできる。第２の係合凹部８については、サポートカウンター１の後端部において、上端から下部に向かって切り欠いて形成することができる。また、第２の係合凹部８は、必ずしもサポートカウンター１の横幅方向の全域に設ける必要はなく、左右両端部、中央部等の部分的な配設とすることも可能である。
【００２３】
なお、本願発明では、図３に示したように、サポートカウンター１は、後端下部に脚１１を備えたものとすることができる。脚１１は、引出し２の底板１２の上に配置され、サポートカウンター１の後端部に加わる荷重を受ける。脚１１によって、サポートカウンター１の配置状態はより一層安定なものとなる。
【００２４】
このような脚１１は、たとえばコ字型の部材とし、上端部においてサポートカウンター１の後端部に軸支し、回動自在に配設することができる。サポートカウンター１を使用する際に、図中に示した矢印方向に下方に回動させ、引出し２の底板１２の上に配置する。サポートカウンター１の不使用時は、脚１１は、サポートカウンター１の下部に収納することができる。たとえば、脚１１の前端下部に係合部１３を突設し、サポートカウンター１の下部に係合部１３と係合可能な係止片１４を設け、係合部１３を係止片１４に係合させて係止し、脚１１がサポートカウンター１の下部に固定されるようにする。サポートカウンター１を引出し２の上方から配置する際およびキャビネットから引き出す際に、脚１１がサポートカウンター１の配置作業の邪魔にならず、サポートカウンター１のスムーズな配置を可能とする。なお、収納状態において脚１１は、サポートカウンター１の下端部から下方に突出せず、サポートカウンター１の厚み以内に収まるように、サポートカウンター１の下部に、脚１１を収納するための凹所１５を形成しておくことが好ましい。また、脚１１は、図３に示したようなサポートカウンター１の横幅全長に延びる部材とすることができる他、短い幅の部材とし、サポートカウンター１の左右両端部や中央部などに部分的に配設することができる。
【図面の簡単な説明】
【００２５】
【図１】本願発明のサポートカウンターの一実施形態を引出しとともに示した斜視図である。
【図２】本願発明のサポートカウンターの別の実施形態を引出しとともに示した斜視図である。
【図３】本願発明のサポートカウンターの別の実施形態を引出しとともに示した要部斜視図である。
【符号の説明】
【００２６】
１    サポートカウンター
２    引出し
３    係合凹部
４    前板
５    側板
６    ガイド
７    突起部
８    第２の係合凹部
９    第２の突起部
１０    天前桟
１１    脚
１２    底板
１３    係合部
１４    係止片
１５    凹所
【図１】
2006325808.tif 000003
【図２】
2006325808.tif 000004
【図３】
2006325808.tif 000005